(57)【要約】【課題】  気泡発生器の吸気口から水が逆流して噴き出さないようにするとともに、噴射性能の良い製品を提供する。【解決手段】  ポンプ本体部１と、このポンプ本体部１に設けられた取水口３と、この取水口３より水を取水するポンプ２と、ポンプ本体部１に一端を接続し他端に空気を吸い込む吸気口５を備えた吸気ホース４と、前記ポンプ２により送水された水と前記吸気口５より吸気した空気により気泡水流として噴出する第１の噴出口８と、この第１の噴出口８と前記吸気ホース４間を連通する連通管６を備えた浴用気泡発生器において、連通管６に水が逆流するのを防止する逆止弁７を設けた。【選択図】  図１
2005168880.tif 000002
【特許請求の範囲】
【請求項１】
ポンプ本体部（１）と、このポンプ本体部（１）に設けられた取水口（３）と、この取水口（３）より水を取水するポンプ（２）と、ポンプ本体部（１）に一端を接続し他端に空気を吸い込む吸気口（５）を備えた吸気ホース（４）と、前記ポンプ（２）により送水された水を前記吸気口（５）より吸気した空気により気泡水流として噴出する第１の噴出口（８）と、この第１の噴出口（８）と前記吸気ホース（４）間を連通する連通管（６）を備えた浴用気泡発生器において、連通管（６）に水が逆流するのを防止する逆止弁（７）を設けたことを特徴とする浴用気泡発生器。
【請求項２】
ポンプ本体部（１）と、このポンプ本体部（１）に設けられた取水口（３）と、この取水口（３）より水を取水するポンプ（２）と、ポンプ本体部（１）に一端を接続し他端に空気を吸い込む吸気口（５）を備えた吸気ホース（４）と、前記ポンプ（２）により送水された水を前記吸気口（５）より吸気した空気により気泡水流として噴出する第１の噴出口（８）と、この第１の噴出口（８）と前記吸気ホース（４）間を連通する連通管（６）と、ポンプ本体部（１）に電源を供給する電源ケーブル（１１）とを備えた浴用気泡発生器において、電源ケーブル（１１）をポンプ本体部（１）の接続部で保護するアーマー（１６）を設け、このアーマー（１６）に吸気ホース（４）と連通管（６）の接続を中継する中継パイプ（１６ａ）を一体構造にて設けたことを特徴とする浴用気泡発生器。
【発明の詳細な説明】
【技術分野】
【０００１】
本発明は、入浴時のマッサージ等のための浴用気泡発生器に関するものである。
【背景技術】
【０００２】
従来のこの種の浴用気泡発生器は、図６に示すような構造のものが知られている。
【０００３】
すなわち、ポンプ本体部６１をポンプ本体部６１の背面に備えた取り付け板６２の吸盤６３により浴槽６５の内壁面に吸着させて固定し、ポンプ本体部６１に電源を供給する電源部６６を水が掛からないように浴室外に設置し、電源部６６とポンプ本体部６１とを電源ケーブル６７で接続し、入浴時にポンプ本体部６１に内蔵した遠心ポンプの動作により浴槽６５内の水をポンプ本体部６１の下部に設けた取水口６８より取水して噴出口６９より噴出するとき、この噴出口６９に吸気ホース６４を介して吸気口７０から吸気した空気をポンプ本体部６１の内部に設けた連通管を介して供給し、前記噴出口６９から気泡水流にして浴槽６５内に噴出して入浴者の身体表面に吹き当てる。
【０００４】
そして、入浴者の身体表面に吹き当てられた気泡水流中の微細な気泡がはじける際に超音波の振動が発生し、それによってマッサージや、温熱、洗浄などの効果が得られるものである（例えば、特許文献１参照）。
【０００５】
さらに、最近では気泡水流を噴出する噴出口が固定されていると身体の一定の部位にしか気泡水流が当たらず、身体各部のマッサージ効果を得ようとすると充分ではないため、気泡水流の噴出口に第２の噴出口を有するホースを接続し、このホースを使って第２の噴出口から噴出する気泡水流や脈動水流を湯中から上の身体の首や肩などの各部に当ててマッサージ効果を得るものが提案されている。
【０００６】
【特許文献１】特開２０００−２１７８８０号公報
【発明の開示】
【発明が解決しようとする課題】
【０００７】
しかしながら上記の従来技術のうち前者のものは、気泡水流の噴出口６９を身体に近づけすぎた場合や、幼児が風呂用の玩具を噴出口６９に近づけすぎた場合等には、噴出口６９の水圧が高まり、噴出口６９に設けた連通管を介して吸気ホース６４に水が逆流するようになり、吸気ホース６４の吸気口７０から水が噴き出すという問題があった。
【０００８】
また、後者のものは、第２の噴出口を浴槽の水面より上に出して、湯中から上の身体の部分をマッサージしようとすると、前記のものと同様にポンプ本体部の噴出口の水圧が高くなり吸気ホースに水が逆流し、吸気ホースの吸気口から水が噴き出したり、また、吸気口から水が噴き出すことにより第２の噴出口から噴出する水が気泡水流や脈動水流とならずマッサージ効果があまり得られないという問題があった。
【課題を解決するための手段】
【０００９】
本発明は上記の問題を解決するためになされたものであり、請求項１はポンプ本体部と、このポンプ本体部に設けられた取水口と、この取水口より水を取水するポンプと、ポンプ本体部に一端を接続し他端に空気を吸い込む吸気口を備えた吸気ホースと、前記ポンプにより送水された水を前記吸気口より吸気した空気により気泡水流として噴出する第１の噴出口と、この第１の噴出口と前記吸気ホース間を連通する連通管を備えた浴用気泡発生器において、連通管に水が逆流するのを防止する逆止弁を設けたものである。
【００１０】
また、請求項２はポンプ本体部と、このポンプ本体部に設けられた取水口と、この取水口より水を取水するポンプと、ポンプ本体部に一端を接続し他端に空気を吸い込む吸気口を備えた吸気ホースと、前記ポンプにより送水された水を前記吸気口より吸気した空気により気泡水流として噴出する第１の噴出口と、この第１の噴出口と前記吸気ホース間を連通する連通管と、ポンプ本体部に電源を供給する電源ケーブルとを備えた浴用気泡発生器において、電源ケーブルをポンプ本体部の接続部で保護するアーマーを設け、このアーマーに吸気ホースを接続する中継パイプを一体構造にして設けたものである。
【発明の効果】
【００１１】
本発明の浴用気泡発生器は、上記のように構成したことにより、気泡水流によるマッサージ中に、何らかの原因によりポンプの送水する水の圧力が増した場合、第１の噴出口に接続された連通管に水が逆流するのを逆止弁により阻止することができるため、吸気口より水が噴き出して濡れてほしくない部分を濡らすことがなくなり、非常に使いやすいものにすることができる。
【００１２】
また、逆止弁により吸気口から水が噴き出すことがなくなるため、噴出口からは脈動水流が常に得られ、マッサージ効果が損なわれることがない。
【００１３】
また、電源ケーブル用のアーマーと、吸気ホースと連通管の接続を中継する中継パイプを一体構造にして設けたことにより、電源ケーブルと吸気ホースが一まとめに並んで引き出されるようになり外観的に良いものとすることができる。
【００１４】
また、吸気ホースの先端に設けられた吸気口を電源ケーブルにフックを使い引っ掛けて固定できるので非常に使いやすいものとすることができる。
【００１５】
また、一体構造のアーマーにしたことにより、従来別々に構成していたアーマーに比べ原価コストと組み立てコストを低減することができる。
【発明を実施するための最良の形態】
【００１６】
以下本発明の一実施例を図１〜図５により説明する。図１は本発明の一実施例を示す浴用気泡発生器の内部構造を示す斜視図、図２は同じく第一の噴出口にホースを接続した状態の斜視図、図３は同じくポンプの縦断面図、図４（ａ）、（ｂ）は同じく逆止弁の動作を説明する断面図、図５は同じくアーマーの縦断面図である。
【００１７】
図において１はポンプ本体部、２は遠心式のポンプでポンプ本体部１の下部に内蔵されていて、浴槽の水を取水し後述する第１の噴出口８より噴出するものである。２ａはポンプ２の羽根である。
【００１８】
３は取水口でポンプ本体部１の下面に開口していて、ここから水がポンプ２に取水される。
【００１９】
４は吸気ホースで、一端をポンプ本体部１の上部に設けられた後述するアーマー１６の中継パイプ１６ａに接続してある。
【００２０】
５は吸気口で前記吸気ホース４の他端に設けられていて、ここから空気を吸引している。５ａはクリップで吸気口５に一体に設けられている。
【００２１】
６は連通管で一端は吸気ホース４を接続したアーマー１６の中継パイプ１６ａに接続し、他端はポンプ２の後述する第１の噴出口８に連通して接続され、吸気口５から吸引した空気を吸気ホース４と中継パイプ１６ａと連通管６を介して供給している。
【００２２】
７は逆止弁で連通管６の途中に設けら、弁７ａを内蔵していて吸気口５から吸引した空気を通過させ、ポンプ２から送水された水が逆流したとき吸気口５から噴き出さないように弁７ａの動作により阻止している。
【００２３】
８は第１の噴出口で、ポンプ２により送水された水がこの第１の噴出口８から噴出するときの負圧によって、この部分に接続された連通管６と吸気ホース４を介し吸気口５より吸引される空気により、気泡水流状態になって第１の噴出口８から噴出する。
【００２４】
９はモータでポンプ２の羽根２ａを駆動している。
【００２５】
１０は押しボタン式のスイッチで、ポンプ本体部１の表面に設けられ、押しボタン部にはマグネットを内蔵していて、内部に有るリードスイッチを磁力でオン・オフする防水構造にしたスイッチによりモータ９の動作をオン・オフするものである。
【００２６】
１１は電源ケーブルであり、ポンプ本体部１に電源を供給するものである。
【００２７】
１２は電源部であり、感電の危険を防止するために水が掛からないように浴室外に設置していて、ＡＣ１００Ｖの電源から絶縁トランスによりＤＣ１２Ｖに変換した電圧を電源ケーブル１１によりポンプ本体部１に供給している。
【００２８】
１３は吸盤であり、ポンプ本体部１の背面に備えられた取り付け板１４に設けられていて、ポンプ本体部１を浴槽に固定する場合に、浴槽の内壁面に吸盤１３を押し当て吸盤１３の吸着力でポンプ本体部１を浴槽に固定して設置するものである。
【００２９】
１５はホースで、図２に示すように一端にはポンプ本体部１の第１の噴出口８に簡単に装着できるようになっているジョイント部１５ａが、他端には第２の噴出口１５ｂが設けられている。そして、ホース１５は内面が平滑で外面はジャバラ状となっており、かつ柔軟性のある材質で形成されていて、ホース１５の材質としては例えば塩化ビニール樹脂やポリオレフィン樹脂、ジャバラ部分の芯材にはポリプロピレン樹脂やポリエチレン樹脂などが使用されている。
【００３０】
また、第２の噴出口１５ｂはホース１５に取り外し自在に構成されていて、多数の小孔を有しこの小穴の数や孔径を変えたものをいくつか用意しておくことでシャワー用に使用したり、マッサージ用の噴流水流にしたりすることができる。
【００３１】
１６はアーマーで、ポンプ本体部１の上面に設けられ、電源ケーブル１１をポンプ本体部１から引き出す接続部を保護すると同時に、吸気ホース４と連通管６の接続を中継する中継パイプ１６ａを一体構造に成型している。
【００３２】
本発明は以上の構成よりなり、次にその作用を説明する。
【００３３】
ポンプ本体部１を浴槽の内壁に吸盤１３を吸着させて固定し、電源部１２は浴室外に設置し、ポンプ本体部１と電源部１２を電源ケーブル１１で接続する。
【００３４】
吸気口５は吸気ホース４を伸ばして電源ケーブル１１に這わせ、フック５ａを利用して電源ケーブル１１に引っ掛けて固定し、浴槽の水中に沈まないようにする。
【００３５】
ホース１５は、ポンプ本体部１の第１の噴出口８による気泡水流で入浴中の身体をマッサージする場合は接続せず、入浴中の身体の湯中から上の首や肩などの各部に対して気泡水流や脈動水流を当ててマッサージする場合は、ホース１５のジョイント部１５ａを第１の噴出口８に接続して使用する。
【００３６】
次に、スイッチ１０を押してモータ９を動作させポンプ２を駆動すると、ポンプ本体部１の下面に設けた取水口３より浴槽内の水を吸い込み、遠心式のポンプ２の働きで水を送水し、第１の噴出口８より噴出するようになるが、この第１の噴出口８から噴出するときの水の負圧によって、この部分に接続された連通管６と吸気ホース４を介して吸気口５より吸引された空気により、気泡水流状態になって第１の噴出口８から浴槽内に噴出する。
【００３７】
そして、この第１の噴出口８より噴出する気泡水流が入浴者の身体表面に吹き当てられることにより、気泡水流中の微細な気泡がはじける際に超音波の振動が発生し、それによってマッサージや、温熱、洗浄などの効果が得られる。
【００３８】
また、ホース１５のジョイント部１５ａを第１の噴出口８に接続して、ホース１５の第２の噴出口１５ｂから気泡水流を噴出させ、この第２の噴出口１５ｂを湯中から上の首や肩などの各部に当てることにより、身体の各部において気泡水流や脈動水流によるマッサージ効果が得られる。
【００３９】
また、気泡水流によるマッサージ中に第１の噴出口８や第２の噴出口１５ｂに身体を近づけすぎた場合や、ホース１５の第２の噴出口１５ｂをポンプ本体部１より高く持ち上げた場合等は、ポンプ２の送水する水の圧力が増し第１の噴出口８に接続された連通管６に水が逆流する現象が発生するが、この場合連通管６に設けられた逆止弁７により逆流する水を止めることができるため、吸気口５より水が噴き出して濡れてほしくない部分を濡らすことがなくなり、非常に使いやすいものにすることができる。
【００４０】
また、逆止弁７により吸気口５から水が噴き出すことがなくなるため、第２の噴出口１５ｂからは常に脈動水流が得られ、マッサージ効果が損なわれることがない。
【００４１】
また、電源ケーブル１１をポンプ本体部１の接続部で保護するアーマー１６に吸気ホース４と連通管６の接続を中継する中継パイプ１６ａを一体構造にて設けたことにより、電源ケーブル１１と吸気ホース４が一まとめに並んで引き出されるようになり外観的に良いものとすることができる。
【００４２】
また、吸気ホース４の先端に設けられた吸気口５を電源ケーブル１１にフック５ａを使い引っ掛けて固定できるので非常に使いやすいものとすることができる。
【００４３】
また、電源ケーブル１１を保護する部分と吸気ホース４を接続する中継パイプ１６ａを一体構造にしたことにより、原価コストと組み立てコストを低減することができる。
【図面の簡単な説明】
【００４４】
【図１】本発明の一実施例を示す浴用気泡発生器の内部構造を示す斜視図である。
【図２】同じく第一の噴出口にホースを接続した状態の斜視図である。
【図３】同じくポンプの縦断面図である。
【図４】（ａ）、（ｂ）同じく逆止弁の動作を説明する縦断面図である。
【図５】同じくアーマーの縦断面図である。
【図６】従来の浴用気泡発生器を示す図である。
【符号の説明】
【００４５】
１  ポンプ本体部
２  ポンプ
３  取水口
４  吸気ホース
５  吸気口
６  連通管
７  逆止弁
８  第１の噴出口
１１  電源ケーブル
１６  アーマー
【図１】
2005168880.tif 000003
【図２】
2005168880.tif 000004
【図３】
2005168880.tif 000005
【図４】
2005168880.tif 000006
【図５】
2005168880.tif 000007
【図６】
2005168880.tif 000008